(57)【特許請求の範囲】
【請求項１】
送配電線設備に設置された配電機材の接地線に接続され、前記配電機材の劣化により前記接地線に流れる漏れ電流を検出して前記配電機材の劣化を表示する劣化表示器であって、
前記配電機材の劣化に応じて表示状態と非表示状態との間で移行可能にハウジングに収容された表示部と、前記ハウジングに収容され、前記表示部に取り付けられたプランジャを磁力で吸引することにより前記表示部を非表示状態とし、前記漏れ電流により吸引磁力を実質的に相殺する磁力を現出させて、前記プランジャを吸引解除することにより前記表示部を表示状態とする自己保持型ソレノイドとを備え、
前記表示部に設けられた磁石と同極性の磁石を有する治具を前記ハウジングの外部から表示状態にある表示部に近接させることにより両磁石間に現出した磁気反発力で前記表示部を表示状態から非表示状態へ移行させるようにしたことを特徴とする劣化表示器。
【請求項２】
前記ハウジングを少なくとも下部が透明な筒状部材で構成し、前記自己保持型ソレノイドを前記ハウジングの中央部に配置すると共に、前記表示部をハウジングの中央部と下部との間で移行可能に配置し、表示状態にある表示部をハウジングの下部で目視可能とした請求項１に記載の劣化表示器。
【請求項３】
前記自己保持型ソレノイドは、ハウジング内の固定部位に弾性部材を介して取り付けられている請求項１又は２に記載の劣化表示器。
【請求項４】
前記自己保持型ソレノイドは、課電側端子と接地側端子との間に接続された検出抵抗に流れる前記漏れ電流により発生する両端電圧を整流回路により整流し、前記整流回路の出力に基づいて吸引磁力を実質的に相殺する磁力を現出させる駆動回路を具備した請求項１〜３のいずれか一項に記載の劣化表示器。
【請求項５】
前記駆動回路は、課電側端子と接地側端子との間に前記検出抵抗の両端子にそれぞれ接続された接点を有し、前記漏れ電流により吸引磁力を実質的に相殺する磁力を現出させて前記プランジャを吸引解除する時点で前記接点を電気的に閉じる短絡回路を具備した請求項４に記載の劣化表示器。
【請求項６】
前記短絡回路は、ハウジング内で固定配置され、前記課電側端子と接地側端子との間に設けられた一対の導電性固定片と、前記ハウジング内で移行可能に設けられた表示部に取り付けられ、前記漏れ電流により吸引磁力を実質的に相殺する磁力を現出させて前記プランジャを吸引解除する時点で前記導電性固定片に接触して一対の導電性固定片を繋ぐ導電性可動片とで構成されている請求項５に記載の劣化表示器。
【発明の詳細な説明】
【技術分野】
【０００１】
本発明は、送配電線設備に設置された、例えば変圧器、開閉器または避雷器などの配電機材の接地線に接続され、その配電機材の劣化により接地線に流れる漏れ電流を検出して配電機材の劣化を表示する劣化表示器に関する。
【背景技術】
【０００２】
例えば、高圧の送配電線設備またはその付近への落雷や、開閉器もしくは遮断器などの入り切りによって異常電圧が発生した際に、送配電線設備に接続された各種機器・設備をこれらによるサージから保護するために、送配電線設備の課電側と接地側との間に高圧避雷器を設置するのが一般的である。この種の避雷器は、直撃雷や誘導雷による過渡的な過電圧を制限してサージ電流を大地に放流するためのデバイスとして、続流遮断機能を持つ酸化亜鉛バリスタが広く使用されている。
【０００３】
この種の避雷器における保護素子は、サージ電圧が繰り返し印加されることによって劣化し、漏れ電流が次第に増大する。このため、避雷器の接地側端子と大地との間に劣化表示器を予め接続しておき、その劣化の有無を外部から目視で検出することが行われている。本出願人は、避雷器の接地側端子と大地との間に、温度ヒューズを備えた劣化表示器を配置し、この温度ヒューズが漏れ電流によって発熱して所定値以上の温度に達したときに溶断する現象を利用して、避雷器の劣化を表示する劣化表示器を先に提案している（例えば、特許文献１参照）。
【先行技術文献】
【特許文献】
【０００４】
【特許文献１】特開平８−２０３４１５号公報
【発明の概要】
【発明が解決しようとする課題】
【０００５】
ところで、前述の特許文献１で開示された劣化表示器では、劣化表示のために溶断した導電性樹脂ヒューズを元の状態に復元することができず、一回限りの使用となる。そのため、保護素子が劣化した避雷器を新たな避雷器に交換する際に、それに付設されている劣化表示器についても導電性樹脂ヒューズを新たなものに交換する必要がある。このヒューズの交換を避雷器の交換時に行うとすると、一連の作業が煩雑なものとなることから、避雷器の交換現場でこれら作業をすることは実際上非常に困難である。このため、避雷器の劣化の有無の点検の際には、その避雷器だけでなく劣化表示器についても交換する必要があり、避雷器の点検時にはつねに劣化表示器も携帯しなければならず、点検・交換業務を非常に煩雑なものとしており、交換作業現場で、劣化表示を非劣化表示の状態に容易に復帰させることができる劣化表示器の実現が強く望まれている。また、それ以外の変圧器や開閉器等においても、経年的な劣化によって無視できない値の漏れ電流を生じることがあり、送配電線設備等に装架された状態でその劣化の有無を容易に目視判別でき、なおかつ繰り返し使用が可能な劣化表示器の実現が求められている。
【０００６】
そこで、本発明は、前述の改善点に鑑みて提案されたもので、その目的とするところは、避雷器等の機材の交換現場においても、簡易な手段でもって劣化表示を非劣化表示の状態に容易かつ確実に復帰させることができ、その繰り返し使用が容易で簡易な構造の劣化表示器を提供することにある。
【課題を解決するための手段】
【０００７】
前述の目的を達成するための技術的手段として、本発明は、送配電線設備に設置された配電機材の接地線に接続され、接地線に流れる配電機材の漏れ電流を検出してその劣化を表示する劣化表示器であって、配電機材が正常または正常であるとみなし得ることを示す非表示状態と、それが劣化したことを示す表示状態との間で移行可能にハウジングに収容された表示部と、そのハウジングに収容され、表示部に取り付けられたプランジャを磁力で吸引することにより表示部を非表示状態とし、所定値を超える漏れ電流により吸引磁力を実質的に相殺する磁力を現出させてプランジャを吸引解除することにより表示部を表示状態とする自己保持型ソレノイドとを備え、表示部に設けられた磁石と同極性の磁石を有する治具をハウジングの外部から表示状態にある表示部に近接させることにより両磁石間に作用する磁気反発力で表示部を表示状態から非表示状態へ移行させるようにしたことを特徴とする。
【０００８】
本発明の劣化表示器では、通常、自己保持型ソレノイドがプランジャを磁力で吸引することにより表示部を非表示状態としている。一方、配電機材が劣化すると、その配電機材の劣化により接地線に流れる漏れ電流が増大する。一定値を超える漏れ電流が流れると、自己保持型ソレノイドに、プランジャを吸引保持する磁力を実質的に相殺する磁力を発生させて、そのプランジャの吸引状態を解除する。このプランジャの吸引解除により表示部を非表示状態から表示状態へ移行させ、その表示部を表示状態とする。
【０００９】
この表示状態にある表示部に対して、その表示部に設けられた磁石と同極性の磁石を有する治具をハウジングの外部から表示部に近接させると、両磁石の磁気反発力で表示部が劣化の表示状態から通常の非表示状態に移行する。このようにして、劣化表示の状態から通常状態すなわち非表示状態にその表示を復帰させる際に、劣化表示器を分解することなく、ハウジングの外部から専用の治具による簡単な操作でもって表示部を表示状態から非表示状態へ移行させて通常状態に復帰させることができるので、劣化表示器の繰り返し使用を容易に行うことができる。
【００１０】
本発明の劣化表示器において、ハウジングを少なくとも下部が透明である筒状部材で構成し、自己保持型ソレノイドをハウジングの中央部に配置すると共に、表示部をハウジングの中央部と下部との間で移行可能に配置し、表示状態にある表示部をハウジングの下部で目視可能とした構造が望ましい。本発明のような劣化表示器は、送配電線設備の配電機材が設置された近傍の高所部位に取り付けられることから、前述のような構造とすれば、ハウジングの透明な下部をその下方の３６０°四方から目視することが容易となり、検査者などにとって表示状態にある表示部が認知し易くなる。無論、従来品のような部品交換の必要性もなく、劣化機材の調査に際して、部品交換のための部材の準備やその携帯の必要性も解消される。
【００１１】
本発明における自己保持型ソレノイドは、ハウジング内の固定部位に弾性部材を介して取り付けられた構造であることが望ましい。前述したように、劣化表示器は、送配電線設備の配電機材が設置された近傍の高所部位に取り付けられることから、ハウジングへの落雪、突風や鳥類などによりハウジングに衝撃が加わることがある。このような衝撃がハウジングに加わった場合でも、弾性部材の緩衝作用により自己保持型ソレノイドが衝撃により振動することを効果的に抑制することができる。これにより、衝撃による振動で自己保持型ソレノイドのプランジャが吸引保持されていた状態から解除されて表示部が非表示状態から表示状態へ移行するという誤動作を確実に回避することができる。
【００１２】
本発明における自己保持型ソレノイドは、課電側端子と接地側端子との間に接続された検出抵抗に流れる漏れ電流により発生する両端電圧を整流回路により整流し、吸引磁力を実質的に相殺する磁力を現出させる駆動回路を具備した構造が望ましい。このように自己保持型ソレノイドの駆動回路を構成すれば、自己保持型ソレノイドの定格電圧を低く設定することで漏れ電流の検出抵抗として小さい抵抗値のものが使用できる。また、自己保持型ソレノイドを駆動するための電源を別途用意する必要もない。
【００１３】
本発明における駆動回路は、課電側端子と接地側端子との間に検出抵抗とその両端子それぞれに接続された一対の接点を有し、漏れ電流により吸引磁力を実質的に相殺する磁力を現出させてプランジャを吸引解除する時点で両接点間を閉じる短絡回路を具備した構造であることが望ましい。このように自己保持型ソレノイドの駆動回路を構成すれば、その短絡回路に漏れ電流が流れることにより、大きな値の漏れ電流が生じても自己保持型ソレノイドを保護することができる。また、検出抵抗には比較的小さい抵抗値のものを使用することができることから、それを設けたことによる配電機材の接地抵抗の増大の影響を著しく軽減することができる。
【００１４】
本発明における短絡回路は、ハウジング内で固定配置され、課電側端子と接地側端子との間に設けられた一対の導電性固定片と、ハウジング内で移行可能に設けられた表示部に取り付けられ、漏れ電流により吸引磁力を実質的に相殺する磁力を現出させてプランジャを吸引解除する時点で接点としての一対の導電性固定片に接触してそれらを電気的に接続する導電性可動片とで構成された構造が望ましい。このように自己保持型ソレノイドの短絡回路を構成すれば、一対の導電性固定片と表示動作時にその間を接続するための導電性可動片からなる簡単な機構でもって短絡回路を形成することができる。
【発明の効果】
【００１５】
本発明によれば、表示状態にある表示部に対して、その表示部に設けられた磁石と同極性の磁石を有する治具をハウジングの外部から表示部に近接させて両磁石の磁気反発力で表示部を表示状態から非表示状態へ移行させることにより、劣化表示器を分解することなく、ハウジングの外部から専用の治具による簡単な操作でもって表示部を表示状態から非表示状態へ移行させて通常状態に復帰させることができるので、劣化表示器の繰り返し使用が容易となる。その結果、配電機材の劣化による交換作業時に、劣化表示器の復帰作業も非常に容易に行うことができることから、その作業性が大幅に向上する。
【図面の簡単な説明】
【００１６】
【図１】本発明の実施形態で、劣化表示器におけるハウジングの内部構造で表示部の非表示状態を示す断面図である。
【図２】図１の劣化表示器におけるハウジングの内部構造で表示部の表示状態を示す断面図である。
【図３】送配電線に対する配電機材および劣化表示器の接続状態を示す概略構成図である。
【図４】劣化表示器を電柱に取り付けた状態を示す正面図である。
【図５】劣化表示器のカバーとハウジングを分離した状態を示す正面図である。
【図６】劣化表示器の内部回路構成を示す回路図である。
【図７】図４の劣化表示器に治具を近接させた状態を示す正面図である。
【図８】図７の要部拡大断面図である。
【図９】図１の自己保持型ソレノイドの取り付け構造の変形例を示す部分断面図である。
【図１０】図１の自己保持型ソレノイドの取り付け構造の他の変形例を示す部分断面図である。
【発明を実施するための形態】
【００１７】
本発明に係る劣化表示器の実施形態を以下に詳述する。以下の実施形態では、送配電線設備に設置された配電機材として高圧避雷器（以下、単に避雷器と称す）に適用した場合について説明するが、例えば、変圧器や開閉器などの配電機材についても適用可能である。
【００１８】
劣化表示器１は、図３に示すように、送配電線２を支持する電柱上等に設置された避雷器３の接地線４に接続され、その避雷器３の劣化により接地線４に流れる漏れ電流を検出して避雷器３の劣化を表示する。この劣化表示器１は、図４および図５に示すように表示器本体を構成する透明樹脂製の円筒状ハウジング１１の上部１２および中央部１３に耐候性を有する不透明な樹脂製カバー１５を装着することによりハウジング１１の上部１２および中央部１３を被覆して保護すると共に、ハウジング１１の下部１４を露呈させて後述の表示部１８を目視可能とした構造を備えている。この劣化表示器１は、ハウジング１１の上部１２に課電側端子２１および接地側端子２２（図１参照）が設けられており、その課電側端子２１を避雷器３の接地線４の中間部分に挿入して避雷器側に接続すると共に、接地側端子２２を大地側に接続した状態で、例えば電柱１６にバンド１７によって締め付け固定される。
【００１９】
劣化表示器１は、図１および図２に示すように、避雷器３の劣化について表示状態と非表示状態との間で移行可能にハウジング１１に収容された表示部１８と、自己保持型ソレノイド２０とからなる主要部を備えている。自己保持型ソレノイド２０は、そのハウジング１１に収容され、実質的な非通電時または所定値未満の値の微弱電流の通電時には表示部１８に取り付けられたプランジャ１９を重力の作用に抗して磁力でハウジング上部１２内に吸引保持することにより表示部１８を非表示状態とし、所定値以上の値の漏れ電流により吸引磁力を実質的に相殺する磁力を現出させてプランジャ１９の吸引状態を解除することによりハウジング下部１４内に自重で落下させ、表示部１８を表示状態とする。なお、図１は前述の表示部１８の非表示状態であることを示し、図２は表示状態であることを示す。
【００２０】
ハウジング１１の上部１２には、避雷器３の接地線４が接続される課電側端子２１と接地側端子２２が設けられている。これら課電側端子２１および接地側端子２２（ねじ頭部）のそれぞれからハウジング１１の下部１４まで垂直に延びる導電性棒２３，２４（ねじ脚部）に絶縁材２５，２６を被覆することにより、ハウジング１１の底部近傍まで達する二本のロッド２７，２８を形成している。この二本のロッド２７，２８の下端部を強磁性金属からなる支持プレート２９で連結している。
【００２１】
このハウジング１１の外周面の中央部１３と下部１４との境界部位にフランジ３０が形成されており、前述したようにハウジング１１の上部１２および中央部１３を被覆するカバー１５（図４および図５参照）はこのフランジ３０で係止される。このフランジ３０よりも下方に位置する透明なハウジング１１の下部１４をカバー１５から露呈させた構造とすることにより、この下部１４に表示部１８が位置する状態でその表示部１８をハウジング１１の外部から目視可能としている（図２参照）。なお、ハウジング１１は、上部１２を構成する蓋体と中央部１３および下部１４を構成する有底円筒状部材であるハウジング本体とからなり、ハウジング本体の開口部に対してＯリング３１を介して蓋体を取り付けたシール構造を有する。
【００２２】
表示部１８は、樹脂製の有底円筒状部材で、二本のロッド２７，２８に対して上下動可能に挿通されて、ハウジング１１の中央部１３に位置する非表示状態とハウジング１１の下部１４に位置する表示状態との間で移行可能に配置されている。表示部１８の外周面には、赤色などの彩色を施すことにより目視が容易なようにしている。この表示部１８の中心部には、下方に開口する凹部３２が設けられており、取り付け部材３３を介して固定された磁石３４が凹部３２の開口端近傍に配置されている。この凹部３２の天板部には導電性の可動片３５を介して自己保持型ソレノイド２０のプランジャ１９が立設されている。
【００２３】
表示部１８がハウジング１１の下部１４に位置する表示状態で、前述の可動片３５と当接するようにそれぞれのロッド２７，２８に一対の接点を構成する導電性の固定片３６，３７が設けられている。一対の固定片３６，３７はロッド２７，２８の軸中心に埋設された導電性棒２３，２４と接触するように取り付けられている。これら表示部１８の可動片３５とロッド２７，２８の固定片３６，３７とで後述の短絡回路４８を構成している。ロッド２７，２８の下端部に取り付けられた支持プレート２９の中心部は、表示状態にある表示部１８の磁石３４が吸着しないように孔３８が形成されている。また、ハウジング１１の底部中心部位に形成された突起３９が前述の支持プレート２９の孔３８に嵌まり込むことにより二本のロッド２７，２８を位置決めするようにしている。
【００２４】
自己保持型ソレノイド２０は、課電側のロッド２７に取り付けられてハウジング１１の中央部１３で表示部１８から垂直方向に延びるプランジャ１９の上方に配置されている。この自己保持型ソレノイド２０は、ハウジング１１内の固定部位である課電側のロッド２７に弾性部材であるＬ形金具４０を介して取り付けられている。Ｌ形金具４０は、ばね性を有する例えばリン青銅製の板材で構成され、衝撃を吸収する機能を発揮する。このＬ形金具４０の水平部の一端を課電側のロッド２７に固定すると共に、その垂直部に絶縁材４１を介して自己保持型ソレノイド２０が固定されている。
【００２５】
プランジャ１９は、表示部１８が上方へ移動する際に自己保持型ソレノイド２０の内部４２にスムーズに挿入することができるように、その先端部４３をテーパ形状とし、その一部分が自己保持型ソレノイド２０の内部４２に入り込んだ状態で磁力によって保持されるように自己保持型ソレノイド２０との相対位置関係が設定されている（図２参照）。なお、自己保持型ソレノイド２０は、接地側のロッド２８に取り付けることも可能である。
【００２６】
この自己保持型ソレノイド２０の上方位置には、劣化表示器１の回路構成部品（図１では図示省略）の実装された配線基板４４がハウジング１１に固定されている。この配線基板４４に実装された構成回路を図６に示す。自己保持型ソレノイド２０は、同図に示すように、課電側端子２１と接地側端子２２との間に接続された検出抵抗４５に流れる漏れ電流により発生する両端子間電圧を整流回路４６により整流し、その整流回路４６の出力に基づいて吸引磁力の過半を相殺する磁力を現出させる駆動回路４７を具備する。
【００２７】
この駆動回路４７は、課電側端子２１と接地側端子２２とにそれぞれ接続された一対の接点（導電性の固定片３６，３７に相当）を有し、通常の状態すなわち自己保持型ソレノイド２０がプランジャ１９を吸引保持して、漏れ電流により自己保持型ソレノイド２０が吸引磁力を実質的に相殺する磁力を現出させてプランジャ１９を吸引解除し、それを自然落下させる時点で、可動片３５が固定片３６，３７に接触することにより前述の接点間を閉じる短絡回路４８を具備する。
【００２８】
このように短絡回路４８を構成することにより、漏れ電流が自己保持型ソレノイド２０に流れ続けることを回避できるので、自己保持型ソレノイド２０の焼損などの破損を未然に防止できてその保護が図れると共に、大きな抵抗値を持つ検出抵抗４５を使用することなく、検出抵抗４５として小さい抵抗値のものを使用することができ、接地抵抗の低減化が図れる。
【００２９】
劣化表示器１の構造（図１および図２参照）では、表示部１８がハウジング１１の下部１４に位置する表示状態、つまり、漏れ電流により自己保持型ソレノイド２０が吸引磁力を相殺する磁力を現出させて、それが一定値を超えたときにプランジャ１９の吸引保持を解除し、プランジャ１９およびそれに取り付けられた表示部１８等を自重で落下させた時点で可動片３５と接触するようにロッド２７，２８に設けられ、ロッド２７，２８の導電性棒２３，２４と接触するように取り付けられた一対の固定片３６，３７と、表示部１８に取り付けられた可動片３５とで短絡回路４８を構成している。このようにして、可動片３５と一対の固定片３６，３７とからなる簡単な機構でもって短絡回路４８を形成している。
【００３０】
なお、前述の駆動回路４７では、比較的大きなサージを吸収する放電ギャップ４９、比較的小さなサージを吸収するバリスタ５０、それらサージから整流回路４６を保護するためのサージアブソーバ５１が課電側端子２１と接地側端子２２との間に接続されている。また、それら課電側端子２１および接地側端子２２と整流回路４６との間には保護抵抗５２，５３が直列に接続されている。
【００３１】
以上の構成からなる劣化表示器１の動作例を以下に詳述する。この劣化表示器１において、通常状態では、図１に示すように、自己保持型ソレノイド２０がプランジャ１９を磁力で吸引することにより表示部１８をハウジング１１の中央部１３に配置している。このハウジング１１の中央部１３はカバー１５（図４および図５参照）で被覆されていることから非表示状態となっている。
【００３２】
ここで、劣化表示器１は、送配電線２の避雷器３が設置された近傍の高所部位に取り付けられることから、カバー１５への落雪、突風や鳥類などによりハウジング１１に衝撃が加わることがある。このような衝撃がハウジング１１に加わった場合でも、その衝撃がＬ形金具４０の緩衝機能でもって著しく緩和されるので、自己保持型ソレノイド２０が衝撃により振動することを抑制できる。これにより、衝撃による振動で自己保持型ソレノイド２０のプランジャ１９が吸引解除されて表示部１８が非表示状態から表示状態へ落下移行するという誤動作を確実に回避することができる。
【００３３】
一方、避雷器３が劣化すると、その避雷器３の劣化により接地線４に漏れ電流が流れることから、劣化表示器１では、課電側端子２１と接地側端子２２との間に接続された検出抵抗４５に流れる漏れ電流を検出する（図６参照）。この漏れ電流により発生する検出抵抗４５の両端子間電圧を整流回路４６で整流し、その整流回路４６の出力に基づいて自己保持型ソレノイド２０を駆動する。漏れ電流が増大し、それが一定値を超えると、この自己保持型ソレノイド２０にプランジャ１９の吸引磁力を実質的に相殺する磁力を現出させてそのプランジャ１９を吸引解除する。
【００３４】
このプランジャ１９の吸引解除により、図２に示すように、表示部１８がその自重でもって落下してハウジング１１の下部１４に配置される。このようにして、表示部１８を非表示状態から表示状態へ移行させる。つまり、ハウジング１１の下部１４は透明でカバー１５により被覆されていないことから、その表示部１８をハウジング１１の外部から目視可能な表示状態となる。劣化表示器１は、通常、電柱等の上部に設置された避雷器３近傍の高所部位に取り付けられることから、ハウジング１１の透明な下部１４をその下方の３６０°四方から目視することが容易となり、表示状態にある表示部１８を認知し易くなっている。
【００３５】
以上のようにして、表示部１８がハウジング１１の下部１４に位置する表示状態、つまり、一定値を超える漏れ電流により自己保持型ソレノイド２０が吸引磁力を実質的に相殺する磁力を現出させてプランジャ１９の吸引を解除すると、表示部１８の可動片３５がロッド２７，２８の固定片３６，３７に接触する。この可動片３５により一対の固定片３６，３７が繋がれることで、短絡回路４８が構成される。つまり、可動片３５が一対の固定片３６，３７に接触することにより、課電側端子２１−導電性棒２３−固定片３６−可動片３５−固定片３７−導電性棒２４−接地側端子２２の短絡回路４８が形成される。
【００３６】
この短絡回路４８に漏れ電流が流れることで、自己保持型ソレノイド２０に漏れ電流が流れ続けることを回避できるので、自己保持型ソレノイド２０の破損を未然に防止できてその保護が図れる。また、比較的小さな電流でプランジャの保持状態を解消する自己保持型ソレノイドが実用に供されていることから、検出抵抗４５に比較的小さい抵抗値のものを使用することができ、それによる接地抵抗の増大を抑えることができる。
【００３７】
また、表示部１８に設けられた磁石３４が強磁性金属からなる支持プレート２９に吸引されることで、固定片３６，３７に対して可動片３５が密着状態で確実に接触する。これにより、短絡回路４８において、可動片３５と固定片３６，３７との間の接触抵抗を低く抑え、短絡状態を確実なものとすることができる。
【００３８】
以上のようにして、劣化表示器１により避雷器３の劣化状態が表示されたことに伴って、その避雷器３を交換した後、劣化表示器１を通常状態に復帰させる要領は次のとおりである。図７および図８に示すように、表示状態にある表示部１８に対して、その表示部１８に設けられた磁石３４と同極性の磁石５４を有する治具５５をハウジング１１の外部から表示部１８に近接させることにより両磁石３４，５４の磁気反発力で表示部１８を表示状態から非表示状態へ移行させる。
【００３９】
劣化表示器１を通常状態に復帰させるための専用の治具５５は、劣化表示器１のハウジング１１の下部１４が収納可能な開口凹部５６が形成され、その凹部５６の底部に表示部１８の磁石３４と同極性の磁石５４を設けた治具本体５７を有する。また、この治具５５は、電柱などの高所部位に設置された劣化表示器１に対する操作が可能なように、治具本体５７の下部に長尺な操作棒５８が連結された間接活線工具としている。
【００４０】
表示部１８がハウジング１１の下部１４に配置された表示状態で、操作棒５８の先端の治具本体５７の凹部５６をそのハウジング１１の下部１４に嵌め込んで被せることにより、その治具本体５７の凹部５６の磁石５４と、同極性にある表示部１８の磁石３４との磁気反発力でもって、表示部１８がハウジング１１の下部１４から中央部１３へ上昇する（図８矢印参照）。この時、治具５５の磁石５４と表示部１８の磁石３４との間に介在する支持プレート２９には孔３８が形成されていることから、表示部１８に磁気反発力が作用し易くなっている。この表示部１８の上昇によりプランジャ１９が自己保持型ソレノイド２０の内部４２に挿入されて磁力により吸引され、ハウジング１１の中央部１３に位置する状態が保持される（図１参照）。表示部１８はカバー１５に隠されることで非表示状態となり、このようにして劣化表示器１を通常状態に復帰させる。
【００４１】
このようにして、劣化表示器１を分解することなく、ハウジング１１の外部から専用の治具５５による簡単な操作でもって避雷器の交換作業現場で表示部１８を表示状態から非表示状態へ移行させて通常状態にきわめて容易に復帰させることができ、かつ、劣化表示器１の繰り返し使用が可能となる。
【００４２】
なお、以上の実施形態では、自己保持型ソレノイド２０を取り付けるための弾性部材としてＬ形金具４０を使用した場合について説明したが、本発明はこれに限定されることなく、図９または図１０に示すように弾性的に支持する構造であってもよい。
【００４３】
図９に示す構造は、ばね性を有する例えばリン青銅製の平板状金具５９の先端に絶縁材６０を介して自己保持型ソレノイド２０を固定したものである。また、図１０に示す構造は、ばね性を有する例えばリン青銅製の平板状金具６１の下面に絶縁性を有する被膜６２を形成し、その被膜６２を介して自己保持型ソレノイド２０を固定したものである。これら平板状金具５９，６１の基端を課電側のロッド２７あるいは接地側のロッド２８に固定する。
【００４４】
いずれの構造も、ハウジング１１に衝撃が加わった場合、その衝撃を平板状金具５９，６１の緩衝機能でもって吸収することにより自己保持型ソレノイド２０が衝撃により振動することを抑制できる。これにより、衝撃による振動で自己保持型ソレノイド２０のプランジャ１９が吸引解除されて表示部１８が非表示状態から表示状態へ移行する誤動作を確実に回避することができる。
【００４５】
本発明は前述した実施形態に何ら限定されるものではなく、本発明の要旨を逸脱しない範囲内において、さらに種々なる形態で実施し得ることは勿論のことであり、本発明の範囲は、特許請求の範囲によって示され、さらに特許請求の範囲に記載の均等の意味、および範囲内のすべての変更を含む。
【符号の説明】
【００４６】
１  劣化表示器
２  送配電線
３  配電機材（避雷器）
４  接地線
１１  ハウジング
１２  ハウジングの上部
１３  ハウジングの中央部
１４  ハウジングの下部
１８  表示部
１９  プランジャ
２０  自己保持型ソレノイド
２１  課電側端子
２２  接地側端子
３４  磁石
３５  導電性可動片
３６，３７  導電性固定片（接点）
４０  弾性部材（Ｌ形金具）
４５  検出抵抗
４６  整流回路
４７  駆動回路
４８  短絡回路
５４  磁石
５５  治具
【図１】
0005776110.tif 000002
【図２】
0005776110.tif 000003
【図３】
0005776110.tif 000004
【図４】
0005776110.tif 000005
【図５】
0005776110.tif 000006
【図６】
0005776110.tif 000007
【図７】
0005776110.tif 000008
【図８】
0005776110.tif 000009
【図９】
0005776110.tif 000010
【図１０】
0005776110.tif 000011